(57)【要約】【課題】花立ての花収容孔へ束ねた造花を着脱自在でかつ確実に、更には、花収容孔の異なる内径の花立てであっても風などの影響を受けることなくしっかりした姿勢で保持させることができる花立て用造花固定具を提供する。【解決手段】花立て１の花収容孔２の内径より小径に形成した本体３と、この本体３の上部より延設させてその基部４ａから上方へ向かうにしたがって外方へ広がるテーパー面４ｃとなり、内部に空間部を形成させた係止体４とを有し、本体は３、その内部に造花の軸体を挿嵌して固定する取付孔５を設け、係止体４は、伸縮性を有する弾性部材により、花立ての花収容孔の内径より大径に形成して該係止体の外周部は、花収容孔の上部内周縁６に当接して、テーパー面により該係止体が下方へ向かうにしたがってくさび状に固定される。【選択図】図２
2004065275.tif 000002
【特許請求の範囲】
【請求項１】
花立て用造花固定具に造花の軸体を取り付けて、この花立て用造花固定具を花立てにおける花収容孔へ着脱自在に設け、前記造花を前記花立てに固定させる前記花立て用造花固定具にあって、
前記花立て用造花固定具は、前記花立ての花収容孔の内径より小径に形成した本体と、この本体の上部より延設させてその基部から上方へ向かうにしたがって外方へ広がるテーパー面となり、内部に空間部を形成させた係止体とを有し、
前記本体は、その内部に前記造花の軸体を挿嵌して固定する取付孔を設け、
前記係止体は、伸縮性を有する弾性部材により、前記花立ての花収容孔の内径より大径に形成して、該係止体の外周部は、前記花収容孔の上部内周縁に当接して、前記テーパー面により該係止体が下方へ向かうにしたがってくさび状に固定されることを特徴とする花立て用造花固定具。
【請求項２】
花立て用造花固定具における本体の取付孔に挿嵌される造花の軸体は、該取付孔に前記造花の軸体を挿嵌した後、固定剤によって花立て用造花固定具における本体へ固定させたことを特徴とする請求項１記載の花立て用造花固定具。
【請求項３】
花立て用造花固定具における本体を伸縮性を有する弾性部材により成形して、該本体の取付孔に挿嵌される造花の軸体は、前記取付孔の内径より大きい外径となるように設けて、前記取付孔へこの軸体を圧入することで花立て用造花固定具における本体へ固定させたことを特徴とする請求項１記載の花立て用造花固定具。
【請求項４】
花立て用造花固定具における係止体のテーパー面は、花立ての花収容孔の内径の変化に応じて該花収容孔の上部内周縁に当接するように、該テーパー面の上部から底部までを前記花収容孔の上部内周縁との当接面とさせたことを特徴とする請求項１記載の花立て用造花固定具。
【発明の詳細な説明】
【０００１】
【産業上の利用分野】
本発明は、花立ての花収容孔へ束ねた造花を着脱自在でかつ確実に、更には、花収容孔の異なる内径の花立てであっても風などの影響を受けることなくしっかりした姿勢で保持させることができる花立て用造花固定具に関する。
【０００２】
【従来の技術】
最近は、造花製造技術が大幅に進歩して、本物の生花に近い造花が市場提供されるようになり、これに伴って、墓前などに供える花も、その利便性等から造花が利用し始めるようになった。
しかしながら、この造花は生花に比べると比較的軽量で、風の影響を受けると容易に向きが変わって、希望する姿勢で長期間保持させにくいものであった。
【０００３】
特に、造花における複数本の軸体を束ねたとき、花立ての花収容孔内において隙間が生じやすくて、この軸体を花収容孔に挿入したとき、上花部の重量バランスによって右左に動きやすく、常時、花の正面を維持させることが難しいものであった。
【０００４】
【発明が解決しようとする課題】
本発明は前記した問題点を解決するためになされたもので、造花の軸体を取り付けて、花立てにおける花収容孔へ着脱自在に取り付けて、造花を花立てに固定させる花立て用造花固定具にあって、花立て用造花固定具は、花立ての花収容孔の内径より小径に形成した本体と、この本体の上部より延設させてその基部から上方へ向かうにしたがって外方へ広がるテーパー面となり、内部に空間部を形成させた係止体とを有し、本体は、その内部に造花の軸体を挿嵌して固定する取付孔を設け、係止体は、伸縮性を有する弾性部材により、花立ての花収容孔の内径より大径に形成して該係止体の外周部は、花収容孔の上部内周縁に当接して、テーパー面により該係止体が下方へ向かうにしたがってくさび状に固定されることにより、花立ての花収容孔へ束ねた造花を着脱自在でかつ確実に、更には、花収容孔の異なる内径の花立てであっても風などの影響を受けることなくしっかりした姿勢で保持させることができる花立て用造花固定具を提供することを目的としている。
【０００５】
【課題を解決するための手段】
前記した目的を達成するための本発明の手段は、
花立て用造花固定具に造花の軸体を取り付けて、この花立て用造花固定具を花立てにおける花収容孔へ着脱自在に設け、前記造花を前記花立てに固定させる花立て用造花固定具にあって、
前記花立て用造花固定具は、前記花立ての花収容孔の内径より小径に形成した本体と、この本体の上部より延設させてその基部から上方へ向かうにしたがって外方へ広がるテーパー面となり、内部に空間部を形成させた係止体とを有し、
前記本体は、その内部に前記造花の軸体を挿嵌して固定する取付孔を設け、
前記係止体は、伸縮性を有する弾性部材により、前記花立ての花収容孔の内径より大径に形成して、該係止体の外周部は、前記花収容孔の上部内周縁に当接して、前記テーパー面により該係止体が下方へ向かうにしたがってくさび状に固定される花立て用造花固定具の構成にある。
【０００６】
また、花立て用造花固定具における本体の取付孔に挿嵌される造花の軸体は、該取付孔に前記造花の軸体を挿嵌した後、固定剤によって花立て用造花固定具における本体へ固定させる。
【０００７】
更に、花立て用造花固定具における本体を伸縮性を有する弾性部材により成形して、該本体の取付孔に挿嵌される造花の軸体は、前記取付孔の内径より大きい外径となるように設けて、前記取付孔へこの軸体を圧入することで花立て用造花固定具における本体へ固定させる。
【０００８】
更にまた、花立て用造花固定具における係止体のテーパー面は、花立ての花収容孔の内径の変化に応じて該花収容孔の上部内周縁に当接するように、該テーパー面の上部から底部までを前記花収容孔の上部内周縁との当接面とさせる。
【０００９】
【実施例】
次に、本発明に関する花立て用造花固定具の一実施例を図面に基づいて説明する。
図１〜図６においてＡは花立て用造花固定具で、造花ｂの軸体ｂ１を取り付けて、花立て１における花収容孔２へ着脱自在に取り付け、造花ｂを該花立て１に安定的に固定させるものである。
特に、既存の花立て１をそのまま利用して、造花ｂを、花立て１から倒したりずらしたりすることなく、正しい姿勢で生けて長期間その姿勢を保持させることができるものである。
【００１０】
そして、前記した花立て用造花固定具Ａは、本体３と、係止体４とにより基本的に構成される。
このうち、本体３は、ゴム等の伸縮性を有する弾性材により円筒状等に形成してあって、その外径Ｄは、花立て１の花収容孔２の内径ｄ１，ｄ２…より小径（Ｄ＜ｄ１，ｄ２…）に形成してあり、その内部に造花ｂの軸体ｂ１を挿嵌して該軸体ｂ１を固定する取付孔５を設けてある。
この取付孔５は、図３等に示すように、該本体３の直径方向において略中心部に、この本体３の直径方向と直交する方向に対して所定の径（造花ｂの量に見合う大きさ）に穿設させてあって、多数本の造花ｂにおけるそれぞれの軸体ｂ１を束ねて挿嵌させる単一孔状か、図５に示すように、本体３の直径方向と直交する方向へ多数個を間隔的に散在させるように設ける。
なお、この本体３は、花立て１の花収容孔２に溜まった雨水などにより浮力を受けない構成することが好ましいもので、所定の重量を有する成形材質の選定や浮上を抑制する重錘などを付設する。
【００１１】
前記した係止体４は、本体３と同効質材からなるゴム等の伸縮性を有する弾性材により該本体３と一体的となるように、この本体３の上部より延設させて、その基部４ａから上方の外端部４ｂへ向かうにしたがって外方へ広がった漏斗状に形成され、その外周面が弾力性を有するテーパー面４ｃとなっているもので、内部に造花ｂの軸体ｂ１が通る空間部４ｄを形成させてある。
すなわち、このテーパー面４ｃは、花立て１の花収容孔２の内径の変化に応じて、いわゆる、図３に示すように、内径ｄ１が比較的大きい花収容孔２や、図４に示すように、内径が比較的小さい花収容孔２に対してまで、一種の係止体４の形状で兼用使用できるように構成されているもので、テーパー面４ｃはこれら花収容孔２の上部内周縁６に当接するように、該テーパー面４ｃの上部（外端部）４ｂから底部（基部）４ａまでをこれら花収容孔２の上部内周縁６とに当接する当接面となるように構成される。
更に、この弾性を有するテーパー面４ｃは、花収容孔２の上部内周縁６へ当接した際、その弾性により圧縮されて、該テーパー面４ｃと上部内周縁６とに摩擦抵抗を生じさせ、この摩擦接触がテーパー面４ｃと上部内周縁６との結合力を発生させる。
なお、前記した本体３は、必ずしも、係止体４と同効質でかつ一体的に形成することはなく、軟質材や硬質材などにより係止体４と別体に成形して、嵌合などの接合により一体化させてもよい。
【００１２】
また、この係止体４は、その上部の外端部４ｂの外径Ｅが、花立て１の花収容孔２の内径ｄ１，ｄ２…より大径（Ｅ＞ｄ１，ｄ２…）に形成してあって、該係止体４の外周部（テーパー面）４ｃは、花収容孔２の上部内周縁６に当接して、テーパー面４ｃにより該係止体４が下方へ向かうにしたがってくさび状に固定されることで、該テーパー面４ｃと花収容孔２の上部内周縁６とが弾性力と共に摩擦接触し、取付孔５に挿嵌した造花ｂに外力が掛かっても、容易にこの花立て用造花固定具Ａは妄動することなく、花収容孔２内に保持させることができる。
【００１３】
なお、この係止体４における上部の外端部４ｂは、その外周部の全周あるいはこの全周に対して間隔的に規制部材７を突設してあって、該係止体４自体が花立て１内の花収容孔２へ深く入り込まないように規制させる。
【００１４】
そして、造花ｂにおける軸体ｂ１の１本体３の取付孔２への挿嵌にあっては、該取付孔５に造花ｂの軸体ｂ１を挿嵌した後、この取付孔５および軸体ｂ１の周囲へ慣用の接着剤やロウなどの結合作用を行い得る固定剤８を塗布あるいは流入させて、該固定剤８の固化や固定剤８によって隙間を埋めることにより、花立て用造花固定具Ａにおける本体３へ軸体ｂ１を固定させる。
この固定剤８による軸体ｂ１の固定は、図３に示すように、本体３に穿設した単一の取付孔５に軸体ｂ１を挿嵌して固定剤８を塗布あるいは流入させたり、図５に示すように、本体３へ多数個を間隔的に散在させた取付孔５，５…へ、一本または複数本をまとめた軸体ｂ１をそれぞれ挿嵌して、固定剤８を塗布あるいは流入させたりするものである。
【００１５】
また、該軸体ｂ１の固定は、図４（ａ）に示すように、本体３に穿設した取付孔５の内径寸法ｍを多数本に束ねた軸線ｂ１の外径ｎより多少小径（ｍ＜ｎ）に形成し、この軸線ｂ１を取付孔５内へ圧入させることで、弾力性を有する本体３の収縮力によって該軸線ｂ１を固定することができる。
なお、同図において９は、多数本の軸体ｂ１を束ねた結束部材で、この結束部材９を施すことで、造花ｂがバラバラにならず一体的となって取り扱い作業などが良好となる。
【００１６】
図１および図２において１０は、係止体４の適所に設けた通孔で、花立て１の花収容孔２内が外気により熱せられて該花収容孔２内の空気が膨張したとき、この通孔１０からこの膨張空気を外部へ脱気させるもので、前記膨張空気に起因する花立て用造花固定具Ａの花収容孔２からのハズレや飛び出しを防止する。
【００１７】
したがって、前記のように構成される本発明に係る一実施例の花立て用造花固定具Ａは、以下に述べる作用を奏する。
あらかじめ、例えば、図４（ａ）に示すように、複数本の造花ｂの軸体ｂ１を結束部材９により造花ｂの向きを揃えて一体的に束ね、この軸体ｂ１を本体３の取付孔５内へ押し込んで、造花ｂの軸体ｂ１と花立て用造花固定具Ａにおける本体３とを一体的に連結する。
あるいは、図５に示すように、本体３に穿設した多数の取付孔５へ花を活けるように造花ｂの軸体ｂ１を挿嵌させ、これら取付孔５および各軸体ｂ１の周囲へ固定剤８を塗布や注入させて、取付孔５と各軸体ｂ１との隙間に固定剤８をそれぞれ充満させた後、この固定材８を固化させて、造花ｂの軸体ｂ１と花立て用造花固定具Ａにおける本体３とを一体的に連結する。
これにより、造花ｂは花立て用造花固定具Ａに固定されるので、この状態で、市場流通させることができる。
【００１８】
そして、造花ｂが取り付けられた花立て用造花固定具Ａを、花立て１の花収容孔２内に入れて造花ｂの向きを決め、該花立て用造花固定具Ａを花収容孔２内へ押し込むと、係止体４のテーパー面４ｃが花収容孔２の上部内周縁６に弾力性的に当接するもので、更に、テーパー面４ｃの弾力性に抗してこの花立て用造花固定具Ａを花収容孔２内へその上部内周縁６に当接させつつ押し込むと、このテーパー面４ｃの絞られた現象により、該係止体４が下方へ向かうにしたがってくさび状に固定される作用が行われて、このテーパー面４ｃと上部内周縁６とが摩擦接触して、花立て用造花固定具Ａの係止体４と花収容孔２の上部内周縁６とが一体的に固定された状態となる。
これに伴って、造花ｂは、図６に示すように、花立て１に対して固定され、例えば、屋外の墓石等にあって、飾った造花ｂが強風にあおられても容易に移動したり吹き飛ばされて、花立て１から外れてしまうことがない。
【００１９】
特に、この花立て用造花固定具Ａにおける係止体４の外周部は、係止体４において、その上部の外端部４ｂの外径Ｅが、花立て１の花収容孔２の内径ｄ１，ｄ２…より大径に形成してあって、該係止体４の外周部（テーパー面）４ｃは、花収容孔２の上部内周縁６に当接するので、花立て１の花収容孔２に異なる内径変化（異なる花収容孔２の内径のものでも）があっても兼用使用でき、一律に、このテーパー面４ｃが上部内周縁６に当接させることができて、造花ｂを花立て１に固定することができる。
【００２０】
また、この花立て用造花固定具Ａは、花立て１の花収容孔２に対して着脱自在に設けることができるため、使用する季節や活けた間隔に応じて適宜造花ｂを簡単に交換することができる。
この交換にあっては、係止体４の外周部（テーパー面）４ｃと花収容孔２の上部内周縁６との係合は、係止体４の外周部（テーパー面）４ｃの弾性力に抗して係止体４を引き上げることで、比較的容易に行うことができる。
【００２１】
なお、花立て用造花固定具Ａにおける本体３の外周部が、花立て１の花収容孔２の内径に見合う外径であれば、この本体３の花収容孔２への圧入によって花立て用造花固定具Ａを固定してもよい。
【００２２】
【発明の効果】
前述のように本発明は、花立ての花収容孔に対して、造花を安定的に、しかも屋外にあって、風などの外力を受けても、容易に倒れたり外れたりする不都合を解消することができる。
テーパー面を有する係止体により花立ての花収容孔内に係合させて固定させるので、この花収容孔の異なる径のものに対しても一律に前記係止体が花収容孔内に係合することができるので、汎用性が良好となる。
【図面の簡単な説明】
【図１】本発明の花立て用造花固定具の一実施例を示す斜視図である。
【図２】図１における花立て用造花固定具を示す縦断正面図である。
【図３】図１における花立て用造花固定具の大径の花立てに使用した状態を示す縦断正面図である。
【図４】図１における花立て用造花固定具を示すもので、（ａ）は取付孔へ軸体を挿入する状態を示す要部の断面図を、（ｂ）は小径の花立てに使用した状態を示す要部の縦断正面図である。
【図５】図１における花立て用造花固定具の他の例を示す縦断面図である。
【図６】図１における花立て用造花固定具の使用状態を示す正面図である。
【符号の説明】
Ａ…花立て用造花固定具．ｂ…造花．ｂ１…軸体．１…花立て．２…花収容孔．３…本体．４…係止体．４ｃ…テーパー面．４ｄ…空間部．５…取付孔．６…上部内周縁．８…固定剤．
【図１】
2004065275.tif 000003
【図２】
2004065275.tif 000004
【図３】
2004065275.tif 000005
【図４】
2004065275.tif 000006
【図５】
2004065275.tif 000007
【図６】
2004065275.tif 000008